(57)【要約】【課題】感熱接着性フィルムを円滑かつ確実に貼着ユニットに引き渡すことができるフィルム貼着装置を提供する。【解決手段】切断ユニット１２等が貼着ユニット１４の上方側に配設された状態で、ケーシング１８内に収容されており、このケーシング１８には、切断ユニット１２等が収容される上部空間Ｓ１と、貼着ユニット１４等が収容される下部空間Ｓ２とを区画するように、受渡ドラム１３の下部を横断する隔壁１８ａが設けられている。ケーシング１８の天面には、給気ファン１９が設置されており、この給気ファン１９によって、上部空間Ｓ１内に空気を導入することで、上部空間Ｓ１の内圧が、下部空間Ｓ２の内圧よりも高くなっている。また、切断ユニット１２部分に２０℃程度の空気を吹き付ける、スポットクーラ２１及び風道２２からなる冷却ユニット２０が設けられており、上部空間Ｓ１内の雰囲気温度が２５℃以下に保持されるようになっている。【選択図】        図１
2005178886.tif 000002
【特許請求の範囲】
【請求項１】
長尺帯状の感熱接着性フィルムを所定長に切断する切断ユニットと、
所定長に切断された前記感熱接着性フィルムを加熱することで、前記感熱接着性フィルムの感熱接着剤層を活性化させながら、前記感熱接着性フィルムを被貼着体に貼着する貼着ユニットとを備え、
前記切断ユニットが、前記貼着ユニットの上方側に配設されているフィルム貼着装置において、
前記切断ユニットを周囲から区画し、
区画された前記切断ユニットの収容空間の内圧が周囲より高くなるように、前記切断ユニットの収容空間に空気を導入するようにしたことを特徴とするフィルム貼着装置。
【発明の詳細な説明】
【技術分野】
【０００１】
この発明は、感熱接着性フィルムを被貼着体に貼着するフィルム貼着装置に関する。
【背景技術】
【０００２】
この種のフィルム貼着装置としては、アルミ缶等の被貼着体の胴部に感熱接着性ラベルを貼着するラベリング装置がある。このラベリング装置は、図２に示すように、感熱接着性フィルムからなる長尺帯状のラベル形成基材Ｍを、所定のカットピッチで順次切断することによって所定長の感熱接着性ラベルＬを形成する、ロータリカッタ５１ａ及び切断搬送ローラ５１ｂからなる切断ユニット５１と、この切断ユニット５１によってラベル形成基材Ｍから切断された感熱接着性ラベルＬを、受渡ドラム５２を介して受け取って、被貼着体Ｃの胴部外周面に貼着する貼着ユニット５３とを備えており、貼着ユニット５３は、感熱接着性ラベルＬを、その感熱接着剤層を外側に向けた状態で外周面に吸引保持する貼着ドラム５３ａと、この貼着ドラム５３ａの外周面を加熱することで、貼着ドラム５３ａの外周面に吸引保持された感熱接着性ラベルＬの感熱接着剤層を活性化させる加熱ヒータ５３ｂとを備えている。
【０００３】
前記切断ユニット５１、受渡ドラム５２及び貼着ユニット５３は、切断ユニット５１及び受渡ドラム５２が貼着ユニット５３の上方側に配設された状態で、ケーシング５４内に収容されており、ラベル形成基材Ｍの感熱接着剤層が切断搬送ローラ５１ｂに接触する切断ユニット５１付近には、この段階でラベル形成基材Ｍの感熱接着剤層が活性化し始めないように、スポットクーラー５５によって生成された２０℃程度の冷風が、風道５６を介して、供給されるようになっている。
【０００４】
【特許文献１】特開２０００−２３３４４５号公報
【発明の開示】
【発明が解決しようとする課題】
【０００５】
しかしながら、上述したように、加熱ヒータ５３ｂがケーシング５４内に収容されているラベリング装置では、加熱ヒータ５３ｂによって加熱された空気がケーシング５４内を対流することによって、加熱ヒータ５３ｂの熱が、加熱ヒータ５３ｂの上方に位置している切断ユニット５１や受渡ドラム５２に伝達されるので、切断ユニット５１付近にスポット的に冷風を吹き付けるだけでは、ラベル形成基材Ｍや感熱接着性ラベルＬの感熱接着剤層の活性化を確実に抑えることができず、感熱接着剤層が活性化し始めたラベル形成基材Ｍや感熱接着性ラベルＬが切断ユニット５１のロータリカッタ５１ａや受渡ドラム５２にくっついてしまい、感熱接着性ラベルＬを円滑かつ確実に貼着ユニット５３に引き渡すことができなくなるといった問題がある。
【０００６】
そこで、この発明の課題は、感熱接着性フィルムを円滑かつ確実に貼着ユニットに引き渡すことができるフィルム貼着装置を提供することにある。
【課題を解決するための手段】
【０００７】
上記の課題を解決するため、請求項１にかかる発明は、長尺帯状の感熱接着性フィルムを所定長に切断する切断ユニットと、所定長に切断された前記感熱接着性フィルムを加熱することで、前記感熱接着性フィルムの感熱接着剤層を活性化させながら、前記感熱接着性フィルムを被貼着体に貼着する貼着ユニットとを備え、前記切断ユニットが、前記貼着ユニットの上方側に配設されているフィルム貼着装置において、前記切断ユニットを周囲から区画し、区画された前記切断ユニットの収容空間の内圧が周囲より高くなるように、前記切断ユニットの収容空間に空気を導入するようにしたのである。
【発明の効果】
【０００８】
以上のように、請求項１にかかる発明のフィルム貼着装置では、切断ユニットの収容空間の内圧が周囲よりも高くなっているので、切断ユニットの収容空間内の空気が、常時、周囲に排出される状態となっている。従って、貼着ユニットが感熱接着性フィルムを加熱する際に昇温した貼着ユニットの周辺の空気が切断ユニットの収容空間内に侵入することがなく、加熱空気の対流に伴う切断ユニットへの熱伝達を確実に抑えることができる。
【０００９】
これによって、切断ユニット付近における感熱接着性フィルムの感熱接着剤層の活性化を抑えることができ、感熱接着性フィルムを切断ユニットから円滑かつ確実に貼着ユニットに引き渡すことが可能となる。
【発明を実施するための最良の形態】
【００１０】
以下、実施の形態について図面を参照して説明する。図１に示すフィルム貼着装置の一態様であるラベリング装置１は、所定長さの感熱接着性ラベルＬが連続的に繋がった長尺帯状のラベル形成基材Ｍを順次切断することによって所定長さの感熱接着性ラベルＬを形成しながら、その感熱接着性ラベルＬを、被貼着体としての乾電池Ｃの胴部外周面に巻き付けるようにして順次貼着していくものであり、前記感熱接着性ラベルＬは、薄肉で腰のないポリエチレンテレフタレートフィルムの内面に印刷が施され、感熱接着剤が塗布されたものである。
【００１１】
このラベリング装置１は、同図に示すように、長尺のラベル形成基材Ｍを切断位置に連続的に供給する送給ユニット１１と、この送給ユニット１１によって供給されるラベル形成基材Ｍを、切断位置において所定のカットピッチで順次切断することによって感熱接着性ラベルＬを形成する切断ユニット１２と、この切断ユニット１２によってラベル形成基材Ｍから切断された感熱接着性ラベルＬを、貼着位置において乾電池Ｃの胴部外周面に貼着する貼着ユニット１４と、乾電池Ｃを貼着位置に順次供給する電池供給ドラム１５と、乾電池Ｃを電池供給ドラム１５に供給する電池供給ユニット１６と、感熱接着性ラベルＬが貼着された乾電池Ｃを電池供給ドラム１５から受け取って排出する電池排出ユニット１７とを備えており、切断ユニット１２によってラベル形成基材Ｍから切断された感熱接着性ラベルＬは、受渡ドラム１３の外周面に吸引保持された状態で搬送され、貼着ユニット１４に引き渡されるようになっている。
【００１２】
前記送給ユニット１１、切断ユニット１２、受渡ドラム１３、貼着ユニット１４及び電池供給ドラム１５は、送給ユニット１１、切断ユニット１２及び受渡ドラム１３が貼着ユニット１４の上方側に配設された状態で、ケーシング１８内に収容されており、このケーシング１８には、送給ユニット１１及び切断ユニット１２が収容される上部空間Ｓ１と、貼着ユニット１４及び電池供給ドラム１５が収容される下部空間Ｓ２とを区画するように、受渡ドラム１３の下部を横断する隔壁１８ａが設けられている。
【００１３】
前記送給ユニット１１は、駆動ローラ１１ａ及び従動ローラ１１ｂに基材搬送ベルト１１ｃが掛け渡されたものであり、裏面側に形成された感熱接着剤層が外側を向くように、ラベル形成基材Ｍの表面側が基材搬送ベルト１１ｃに接触した状態で、ラベル形成基材Ｍが切断ユニット１２の切断位置に連続供給されるようになっている。
【００１４】
前記切断ユニット１２は、外周面に切断刃が取り付けられたロータリカッタ１２ａと、送給ユニット１１によって供給されるラベル形成基材Ｍを外周面に吸引保持した状態で、受渡ドラム１３への引渡位置まで搬送すると共に、ロータリカッタ１２ａとの協働作用によってラベル形成基材Ｍを所定長に順次切断する切断搬送ローラ１２ｂとから構成されており、ラベル形成基材Ｍの先端が受渡ドラム１３に引き渡された後、ロータリカッタ１２ａと切断搬送ローラ１２ｂとによって、ラベル形成基材Ｍから所定長の感熱接着性ラベルＬが切断され、受渡ドラム１３に引き渡されるようになっている。なお、受渡ドラム１３に引き渡された感熱接着性ラベルＬは、その感熱接着剤層が受渡ドラム１３の外周面に接触した状態で吸引保持されている。
【００１５】
前記貼着ユニット１４は、受渡ドラム１３から受け取った感熱接着性ラベルＬを、感熱接着剤層を外側に向けた状態で、外周面に吸引保持して貼着位置まで搬送する貼着ドラム１４ａと、この貼着ドラム１４ａの外周面を加熱することで、貼着ドラム１４ａの外周面に吸引保持された感熱接着性ラベルＬの感熱接着剤層を活性化させる加熱ヒータ１４ｂとを備えており、貼着ドラム１４ａによって貼着位置まで搬送されてきた、感熱接着剤層が活性化された感熱接着性ラベルＬは、電池供給ユニット１６及び電池供給ドラム１５によって貼着位置に供給される乾電池Ｃの胴部外周面に巻き付けるようにして貼着され、感熱接着性ラベルＬが貼着された乾電池Ｃは、電池排出ユニット１７によって排出されるようになっている。
【００１６】
前記ケーシング１８の天面には、切断ユニット１２等が収容されている上部空間Ｓ１内に空気を導入する給気ファン１９が設置されており、この給気ファン１９によって、上部空間Ｓ１内に空気が導入されることで、上部空間Ｓ１の内圧が、貼着ユニット１４等が収容されている下部空間Ｓ２の内圧よりも高くなっている。従って、上部空間Ｓ１内の空気が、隔壁１８ａに形成された、受渡ドラム１３の下部を受け入れる開口等の隙間を通って、常時、下部空間Ｓ２側に流出している。
【００１７】
また、このラベリング装置１には、ラベル形成基材Ｍの感熱接着剤層と接触するロータリカッタ１２ａを有する切断ユニット１２部分に２０℃程度の空気を吹き付ける冷却ユニット２０が設けられており、この冷却ユニット２０は、２０℃程度の空気を生成して送出するスポットクーラ２１と、このスポットクーラ２１から送出された２０℃程度の空気を、切断ユニット１２まで案内する風道２２とから構成されている。なお、この冷却ユニット２０によって、切断ユニット１２部分に２０℃程度の空気を吹き付けることで、ケーシング１８における上部空間Ｓ１内の雰囲気温度が２５℃以下に保持されるようになっている。
【００１８】
以上のように、このラベリング装置１では、送給ユニット１１、切断ユニット１２、受渡ドラム１３、貼着ユニット１４及び電池供給ドラム１５を収容するケーシング１８に、隔壁１８ａを設けることによって、切断ユニット１２等が収容される上部空間Ｓ１と、貼着ユニット１４等が収容される下部空間Ｓ２とに区画し、ケーシング１８の天面に設置されている給気ファン１９によって、上部空間Ｓ１内に空気を導入することで、上部空間Ｓ１の内圧を下部空間Ｓ２の内圧よりも高くしているので、貼着ユニット１４の加熱ヒータ１４ｂが感熱接着性ラベルＬ（貼着ドラム１４ａの外周面）を加熱する際に昇温した下部空間Ｓ２内の空気が、切断ユニット１２が収容されている上部空間Ｓ１内に侵入することがなく、下部空間Ｓ２内の加熱空気の対流に伴う切断ユニット１２への熱伝達を確実に抑えることができる。しかも、冷却ユニット２０によって、切断ユニット１２部分に２０℃程度の空気を吹き付けることで、切断ユニット１２が収容されている上部空間Ｓ１内の雰囲気温度が２５℃以下に保持されるようになっているので、上部空間Ｓ１内におけるラベル形成基材Ｍや感熱接着性ラベルＬの感熱接着剤層の活性化を確実に抑えることができる。
【００１９】
従って、切断ユニット１２のロータリカッタ１２ａがラベル形成基材Ｍの感熱接着剤層と接触していても、ラベル形成基材Ｍがロータリカッタ１２ａにくっつくことがなく、切断ユニット１２によってラベル形成基材Ｍから感熱接着性ラベルＬを確実に切断して円滑に貼着ユニット１４に引き渡すことができる。
【００２０】
なお、上述した実施形態では、ケーシング１８の天面に設置されている給気ファン１９によって、ケーシング１８の上部空間Ｓ１内に空気を導入することで、上部空間Ｓ１の内圧を下部空間Ｓ２の内圧よりも高くすると共に、冷却ユニット２０によって、切断ユニット１２部分に２０℃程度の空気を吹き付けることで、上部空間Ｓ１内の雰囲気温度を２５℃以下に保持するようにしているが、これに限定されるものではなく、給気ファンによって、所定温度（例えば、２０℃）の空気を上部空間Ｓ１内に導入することによって、上部空間Ｓ１の内圧を下部空間Ｓ２の内圧よりも高くすると共に上部空間Ｓ１内の雰囲気温度を所定温度（例えば、２５℃）以下に保持することも可能である。
【００２１】
また、上述した実施形態では、送給ユニット１１、切断ユニット１２、受渡ドラム１３、貼着ユニット１４及び電池供給ドラム１５がケーシング１８内に収容されているラベリング装置１について説明したが、これに限定されるものではなく、例えば、送給ユニット１１及び切断ユニット１２をケーシング内に収容することによって周囲から区画し、送給ユニット１１及び切断ユニット１２の収容空間の内圧が周囲より高くなるように、送給ユニット１１及び切断ユニット１２の収容空間に空気を導入するようにしてもよい。
【００２２】
また、上述した実施形態では、感熱接着性ラベルＬを乾電池Ｃの胴部外周面に貼着するラベリング装置について説明したが、被貼付体は乾電池Ｃに限定されるものではなく、本発明のフィルム貼着装置は、金属缶、ボトル、瓶等の容器の他、種々の物品に対する感熱接着性フィルムの貼着について適用することが可能である。
【図面の簡単な説明】
【００２３】
【図１】この発明にかかるフィルム貼着装置の一実施形態であるラベリング装置を示す概略構成図である。
【図２】従来のラベリング装置を示す概略構成図である。
【符号の説明】
【００２４】
１  ラベリング装置
１１  送給ユニット
１２  切断ユニット
１２ａ  ロータリカッタ
１２ｂ  切断搬送ローラ
１３  受渡ドラム
１４  貼着ユニット
１４ａ  貼着ドラム
１４ｂ  加熱ヒータ
１５  電池供給ドラム
１６  電池供給ユニット
１７  電池排出ユニット
１８  ケーシング
１８ａ  隔壁
１９  給気ファン
２０  冷却ユニット
２１  スポットクーラ
２２  風道
Ｓ１  上部空間
Ｓ２  下部空間
Ｍ  ラベル形成基材
Ｌ  感熱接着性ラベル
【図１】
2005178886.tif 000003
【図２】
2005178886.tif 000004